(57)【要約】【課題】電源からの所定電圧が駆動部に供給されていない状態でモータに逆起電力が生じた場合、駆動部の破壊を簡単に防止することができる電気機器の提供。【解決手段】電気機器１０１は、本体部１０４と、カバー部材１０３と、インターロックスイッチ１０５とを備える。本体部１０４は、モータ１２５、モータ駆動部１２４、及び電源配線Ｒ１を有する。カバー部材１０３は、本体部１０４内部を露出させる開姿勢と、本体部１０４内部を外部から隔てる閉姿勢とを採り得る。インターロックスイッチ１０５は、電源配線Ｒ１の途中に設けられ、カバー部材１０３が閉姿勢を採る場合、電源１２１とモータ駆動部１２４とを接続する。そして、インターロックスイッチ１０５は、カバー部材１０３が開姿勢を採る場合、電源１２１とモータ駆動部１２４との接続を切断すると共に、切断された電源配線Ｒ１のうちモータ駆動部１２４側の電源配線Ｒ１’をＧＮＤに接続する。【選択図】図４
2008167596.tif 000002
【特許請求の範囲】
【請求項１】
モータと、前記モータを駆動させる駆動部と、電源から出力される所定の電圧を前記駆動部に供給する電源配線とを有する電気機器本体と、
前記電気機器本体の内部を露出させる開姿勢と、前記電気機器本体の内部を外部から隔てる閉姿勢とを採り得るカバー部材と、
前記電源配線の途中に設けられており、前記カバー部材が閉姿勢を採る場合、前記駆動部に前記所定の電圧が供給されるように、前記電源と前記駆動部とを接続するインターロックスイッチと、を備え、
前記インターロックスイッチは、前記カバー部材が開姿勢を採る場合、前記駆動部に前記所定の電圧が供給されないように前記電源と前記駆動部との接続を切断すると共に、切断された前記電源配線のうち前記駆動部側の電源配線をＧＮＤに接続する、電気機器。
【請求項２】
前記駆動部は、オンまたはオフして前記モータを駆動させるための駆動信号を生成するスイッチング素子と、前記スイッチング素子に並列に接続されたダイオードとを含む、請求項１に記載の電気機器。
【発明の詳細な説明】
【技術分野】
【０００１】
本発明は、電気機器に関する。
【背景技術】
【０００２】
プリンタや複合機等の画像形成装置は、その本体内部に画像を形成するための様々なユニットを備えており、本体内部はカバー部材で覆われている。また、ユニットとしては、画像形成を行う画像形成部や用紙を画像形成部に搬送する用紙搬送路、これらのユニットに電力を供給する中高電圧の電源が挙げられる。
【０００３】
このような画像形成装置には、画像を形成している動作中にカバー部材が開けられた場合でもユーザの安全性を確保するために、カバー部材が開けられる動作に連動してユニットに電源からの電力を供給するための電源配線を切断し、ユニットの動作を停止させるインターロックスイッチが設けられたものがある。
【０００４】
しかし、例えば用紙搬送路上のレジストローラにおいて紙詰まりが発生した際にカバーが開けられ、紙詰まりを解消するために用紙が引き抜かれた場合、レジストローラを回転駆動させるためのモータが回転してしまう。すると、モータには逆起電力が生じ、モータを駆動させる駆動部内には逆起電力による電流が流れ、駆動部が破壊する恐れがある。
【０００５】
これに対し、図１に示すような画像形成装置が知られている（特許文献１）。図１の画像形成装置１は、電源２、インターロックスイッチ３、駆動部４、及び駆動部４により駆動されるモータ５を備える。モータ５は、レジストローラ等の画像形成装置１のユニットを回転させる。駆動部４は、ＣＰＵ１１と、ドライバ１２と、スイッチング素子Ｑ１〜Ｑ４と、ダイオードＤ１〜Ｄ４とを含む。特に、ＣＰＵ１１は、カバー部材が開けられインターロックスイッチ３がオフした時、駆動部４内のスイッチング素子Ｑ１〜Ｑ４がオフするように制御する。
【特許文献１】特開２００６−２０８５０２号公報
【発明の開示】
【発明が解決しようとする課題】
【０００６】
しかし、特許文献１に係るＣＰＵ１１は、カバー部材が開けられた場合にスイッチング素子Ｑ１〜Ｑ４をオフさせる制御を行うため、制御が複雑化してしまう。
【０００７】
また、一般的に、駆動部４内のスイッチング素子Ｑ１〜Ｑ４には、図１に示すように、例えばモータ５が急に停止した場合等にモータ５に発生する逆起電力により駆動部４が破壊されることを防止するためのダイオードＤ１〜Ｄ４が並列に接続されている。これにより、電源２から出力される所定電圧が駆動部４側の電源配線Ｖ１’に供給されている場合には、逆起電力が駆動部４の耐圧を越えた場合であっても、ダイオードＤ１，Ｄ３は、駆動部４に印加するモータ５からの逆起電力に応じた電圧を所定電圧でクリップさせることができる。そして、逆起電力による電流は、ダイオードＤ１，Ｄ３を流れる。しかし、インターロックスイッチ３がオフして電源配線Ｖ１が切断されると、電源２からの所定電圧は駆動部４側の電源配線Ｖ１’に供給されなくなる。この状態でモータ５に逆起電力が生じると、ダイオードＤ１〜Ｄ４は、逆起電力を所定電圧でクリップさせることができなくなる。従って、たとえＣＰＵ１１がスイッチング素子Ｑ１〜Ｑ４をオフさせたとしても、逆起電力が駆動部４の耐圧を越えた場合には、駆動部４は破壊する恐れがある。
【０００８】
そこで、本発明は、電源からの所定電圧が駆動部に供給されていない状態で、モータに逆起電力が生じた場合、駆動部の破壊を容易に防止することができる画像形成装置等の電気機器の提供を目的とする。
【課題を解決するための手段】
【０００９】
発明１に係る電気機器は、電気機器本体と、カバー部材と、インターロックスイッチとを備える。電気機器本体は、モータと、モータを駆動させる駆動部と、電源から出力される所定の電圧を駆動部に供給する電源配線とを有する。カバー部材は、電気機器本体の内部を露出させる開姿勢と、電気機器本体の内部を外部から隔てる閉姿勢とを採り得る。インターロックスイッチは、電源配線の途中に設けられており、カバー部材が閉姿勢を採る場合、駆動部に所定の電圧が供給されるように、電源と駆動部とを接続する。そして、インターロックスイッチは、カバー部材が開姿勢を採る場合、駆動部に所定の電圧が供給されないように電源と駆動部との接続を切断すると共に、切断された電源配線のうち駆動部側の電源配線をＧＮＤに接続する。
【００１０】
この電気機器によると、カバー部材が開いている場合、駆動部側の電源配線はＧＮＤに接続される。この時、ユーザが不意にモータを回転させたりしてモータを駆動させてしまうと、モータには逆起電力が生じ、駆動部には通常時に流れる電流とは逆の方向（電源配線側）に電流が流れるが、この電流は、電源配線を通じてＧＮＤに流れ込む。従って、カバー部材が開いている状態でモータに逆起電力が生じた場合であっても、駆動部の耐圧以上の逆起電力による電流が駆動部に流れ込んで駆動部が破壊されることを防ぐことができる。
【００１１】
発明２に係る電気機器は、発明１に係る電気機器であって、駆動部は、スイッチング素子とダイオードとを含む。スイッチング素子は、オンまたはオフしてモータを駆動させるための駆動信号を生成する。ダイオードは、スイッチング素子に並列に接続されている。
【００１２】
これにより、例えばインターロックスイッチがオフしている状態でモータに逆起電力が生じた場合、逆起電力による電流は、駆動部内のスイッチング素子を流れずにダイオードを流れ、ダイオードを通じて電源配線側に流れる。従って、モータに逆起電力が生じた場合であっても、駆動部内のスイッチング素子が破壊することを防止することができる。
【発明の効果】
【００１３】
本発明の電気機器によると、電源からの所定電圧が駆動部に供給されていない状態でモータに逆起電力が生じても、駆動部の破壊を容易に防止するこができる。
【発明を実施するための最良の形態】
【００１４】
（１）構成
図２は、本実施形態に係る電気機器が採用された画像形成装置１０１の外観図である。この画像形成装置１０１は、複写機、プリンタ、ファクシミリ装置及びスキャナ装置としての機能を併せ持つ複合機の機種である。図２の画像形成装置１０１は、原稿カバー１０２、カバー部材１０３、本体部１０４、インターロックスイッチ１０５及び給紙カセット１０６を含む。
【００１５】
〔原稿カバー〕
原稿カバー１０２は、原稿カバー１０２と対向する本体部１０４の部分に設けられた原稿載置台（図示せず）に載置された原稿を押さえるためのものであって、原稿載置台に対し開閉自在に本体部１０４に装着されている。
【００１６】
〔カバー部材〕
カバー部材１０３は、本体部１０４の前部に、本体部１０４に対しカバー部材１０３の端部１０３ａを回動軸として回動可能に装着されており、本体部１０４の内部を露出させる開姿勢と、本体部１０４の内部を外部から隔てる閉姿勢とを採り得る。
【００１７】
また、カバー部材１０３には、突出部材１０５ａが設けられている。より具体的には、突出部材１０５ａは、図３に示すように、カバー部材１０３に対し本体部１０４の内部の方向に突出しており、カバー部材１０３が閉姿勢を採る場合にインターロックスイッチ１０５の位置に対応するように、カバー部材１０３に設けられている。
【００１８】
〔本体部〕
本体部１０４は、図２に示すように、感光体ドラム１１１や、用紙搬送路１１２、レジストローラ１１３、転写ベルト１１４及び定着装置１１５等を含む。感光体ドラム１１１の表面には、画像データに基づいて静電潜像が形成される。用紙搬送路１１２は、給紙カセット１０６内の用紙をレジストローラ１１３に搬送する。レジストローラ１１３は、用紙搬送路１１２から送られてきた用紙を転写ベルト１１４に送り出すタイミングを制御する。転写ベルト１１４は、用紙搬送路１１２から送られてきた用紙に、画像を転写する。定着装置１１５は、用紙上に転写された画像を定着させる。
【００１９】
また、本実施形態に係る本体部１０４は、図４に示すように、２４Ｖ電源１２１、５Ｖ電源１２２、電源配線Ｒ１，Ｒ２、ＧＮＤ配線Ｇ１，Ｇ２、ＣＰＵ１２３、モータ駆動部１２４及びモータ１２５を備える。
【００２０】
２４Ｖ電源１２１及び５Ｖ電源１２２は、例えば画像形成装置１０１外部の商用電源等から供給される交流電圧を用いて、２４Ｖ及び５Ｖの直流電圧をそれぞれ生成する。
【００２１】
電源配線Ｒ１は、２４Ｖ電源１２１とモータ駆動部１２４とを接続しており、２４Ｖ電源１２１から出力された２４Ｖの直流電圧をモータ駆動部１２４に供給する。また、電源配線Ｒ１は、途中で分岐しており、２４Ｖの直流電圧をその他の負荷にも供給する。ここで、その他の負荷としては、感光体ドラム１１１の駆動源としてのモータ（図示せず）を駆動させるための駆動部（図示せず）等が挙げられる。電源配線Ｒ２は、５Ｖ電源１２２とＣＰＵ１２３とを接続しており、５Ｖ電源１２２から出力された５Ｖの直流電圧をＣＰＵ１２３に供給する。
【００２２】
ＧＮＤ配線Ｇ１は、２４Ｖの直流電圧に対するＧＮＤの配線であって、２４Ｖ電源１２１からモータ駆動部１２４、その他の負荷に向かって伸びている。ＧＮＤ配線Ｇ２は、５Ｖの直流電圧に対するＧＮＤの配線であって、５Ｖ電源１２２からＣＰＵ１２３に向かって伸びている。
【００２３】
ＣＰＵ１２３は、電源配線Ｒ２を介して５Ｖの直流電圧が供給されると、転写ベルト１１４及び定着装置１１５等の画像形成装置１０１の各ユニットの制御を行う。
【００２４】
モータ駆動部１２４は、電源配線Ｒ１を介して２４Ｖの直流電圧が供給されると、モータ１２５を駆動させる。モータ駆動部１２４は、図５に示すように、ＣＰＵ１２４ａ、ドライバ１２４ｂ及び出力回路１２４ｃを含む。
【００２５】
ＣＰＵ１２４ａは、ドライバ１２４ｂを制御する。より具体的には、ＣＰＵ１２４ａは、モータ１２５を駆動するための駆動信号ＳＵ，ＳＶを決定し、この駆動信号ＳＵ，ＳＶの生成指示などをドライバ１２４ｂに出力する。
【００２６】
ドライバ１２４ｂは、ＣＰＵ１２４ａにより決定された駆動信号ＳＵ、ＳＶが出力回路１２４ｃから出力されるように、出力回路１２４ｃにおけるバイポーラトランジスタQ１０１〜Q１０４（後述）をオン及びオフさせるためのゲート信号Ｇｕ，Ｇｘ，Ｇｖ，Ｇｙを生成し、出力回路１２４ｃに出力する。
【００２７】
出力回路１２４ｃは、バイポーラトランジスタQ１０１〜Q１０４（スイッチング素子に相当。以下、簡単にトランジスタという）と、各トランジスタQ１０１〜Q１０４に並列に接続されたダイオードD１０１〜D１０４とを含む。トランジスタQ１０１及びQ１０２、Q１０３及びQ１０４は、それぞれ電源配線Ｒ１とＧＮＤ配線Ｇ１との間に直列に接続されている。ダイオードＤ１０１，Ｄ１０３は、トランジスタＱ１０１，Ｑ１０３をそれぞれ短絡するように接続され、ダイオードD１０２，D１０４は、トランジスタＱ１０２，Ｑ１０４をそれぞれ短絡するように接続されている。より具体的には、ダイオードＤ１０１，Ｄ１０３は、電源配線Ｒ１’側がカソードとなるように接続され、ダイオードＤ１０２，Ｄ１０４は、ＧＮＤ配線Ｇ１側がアノードとなるように接続されている。このような構成を有する出力回路１２４ｃでは、ドライバ１２４ｂから出力されるゲート信号Ｇｕ，Ｇｘ，Ｇｖ，Ｇｙが各トランジスタQ１０１〜Q１０４のゲート端子に印加されることでトランジスタＱ１０１〜Ｑ１０４はオン及びオフし、駆動信号ＳＵ，ＳＶが生成される。生成された駆動信号ＳＵ，ＳＶは、モータ駆動部１２４の出力端子ＮＵ，ＮＶを経てモータ１２５に出力される。
【００２８】
モータ１２５は、レジストローラ１１３の回転駆動源であって、モータ駆動部１２４から出力される駆動信号ＳＵ，ＳＶに基づいて回転を行う。ここで、本実施形態では、図５に示すように、モータ１２５は駆動コイル（図示せず）を有した２相モータである場合を例にとる。尚、モータ１２５の種類としては、ブラシレスモータやセンサレスモータ、直流モータ等が挙げられる。
【００２９】
〔インターロックスイッチ〕
インターロックスイッチ１０５は、図４に示すように、電源配線R１の途中に設けられており、カバー部材１０３が採り得る姿勢に伴いモータ駆動部１２４側の電源配線R１’に印加される電圧を切り換える。
【００３０】
より具体的には、カバー部材１０３が閉姿勢を採る場合、モータ駆動部１２４側の電源配線R１’には２４Ｖの直流電圧が供給されるように、２４Ｖ電源１２１とモータ駆動部１２４とを接続する。また、カバー部材１０３が開姿勢を採る場合、インターロックスイッチ１０５は、モータ駆動部１２４には２４Ｖの直流電圧が供給されないように、２４Ｖ電源１２１とモータ駆動部１２４との接続を切断すると共に、モータ駆動部１２４側の電源配線Ｒ１’をＧＮＤ配線Ｇ１に接続する。これにより、カバー部材１０３が開姿勢を採る場合、モータ駆動部１２４側の電源配線Ｒ１’には、ＧＮＤの電圧、即ち約０Ｖが印加される。
【００３１】
ここで、インターロックスイッチ１０５の種類としては、例えばアクチュエータ及びソレノイドで構成される電磁ロック式やセンサでマグネットの磁場を検知するとオンするマグネット式、直接押下されることでオンする押下式等が挙げられるが、本実施形態では、押下式のインターロックスイッチを用いた場合を例に取る。即ち、本実施形態では、図３に示すように、カバー部材１０３が例えば閉じた状態から開いた状態となると、カバー部材１０３の突出部材１０５ａはインターロックスイッチ１０５から離れる。これにより、インターロックスイッチ１０５は、電源配線Ｒ１’の接続経路を、２４Ｖ電源１２１の出力側からＧＮＤ配線Ｇ１側に切り換える。
【００３２】
〔給紙カセット〕
給紙カセット１０６は、用紙を収納可能であって、図２に示すように本体部１０４の下部に２段設けられている。
【００３３】
（２）動作
次に、本実施形態に係る画像形成装置１０１の動作を、図６及び７を用いて説明する。尚、図６及び７は、カバー部材１０３が各姿勢を採る場合の、インターロックスイッチ１０５の状態及び電流の流れる向きを説明するための図である。図６及び７では、画像形成装置１０１のうち、本体部１０４，カバー部材１０３、インターロックスイッチ１０５、２４Ｖ電源１２１、モータ駆動部１２４の出力回路１２４ｃ、モータ１２５、及び各種配線Ｒ１，Ｇ１を抜き出して表している。
【００３４】
先ず、図６に示すように、カバー部材１０３が閉じた状態、即ち閉姿勢であるとする。この場合、インターロックスイッチ１０５は、カバー部材１０３の突出部材１０５ａにより押下されており、モータ駆動部１２４側の電源配線Ｒ１’を２４Ｖ電源１２１の出力側（即ち、２４Ｖ電源１２１側の電源配線Ｒ１’’）に接続している。これにより、モータ駆動部１２４には、２４Ｖ電源部１２１から出力される２４Ｖの直流電圧が供給される。この状態でモータ１２５が回転すると、電流は、２４Ｖ電源１２１から２４Ｖ電源１２１側の電源配線Ｒ１’’、インターロックスイッチ１０５及びモータ駆動部１２４側の電源配線Ｒ１’を経てモータ駆動部１２４の出力回路１２４ｃに流れる。次いで、この電流は、出力回路１２４ｃ内の上側のトランジスタＱ１０１、モータ１２５、出力回路１２４ｃ内の下側のトランジスタＱ１０４及びＧＮＤ配線Ｇ１を経てＧＮＤに流れる（図６の矢印Ａ）。ここで、図６では、トランジスタＱ１０１及びＱ１０４がオンし、トランジスタＱ１０２，Ｑ１０３がオフしている場合を示している。
【００３５】
また、カバー部材１０３が閉じておりモータ駆動部１２４の電源配線Ｒ１’には２４Ｖの直流電圧が供給されている際に、例えばモータ１２５に負荷がかかりモータ１２５内の駆動コイル（図示せず）に逆起電力が生じたとする。この場合、生じた逆起電力はモータ駆動部１２４の出力端子ＮＵ，ＮＶに印加されるが、モータ駆動部１２４側の電源配線Ｒ１’には２４Ｖの直流電圧が供給されているため、モータ駆動部１２４の出力端子ＮＵ，ＮＶに印加される電圧は、出力回路１２４ｃ内の上側のダイオードＤ１０１，Ｄ１０３により２４Ｖ電源１２１から出力される電圧に近い値にクリップされる。より具体的には、出力端子ＮＵ，ＮＶに印加される電圧は、２４Ｖの直流電圧に、ダイオードＤ１０１，Ｄ１０３のダイオード特性による値を加えたもの（ダイオードを０．７Ｖ近似すると、約２４．７Ｖ）にクリップされる。そして、逆起電力によりモータ駆動部１２４の出力端子ＮＵ，ＮＶを経てモータ駆動部１２４の出力回路１２４ｃ内に流れ込んだ電流は、トランジスタＱ１０１〜Ｑ１０４を流れずにダイオードＤ１０１，Ｄ１０３を流れた後、インターロックスイッチ１０５を介して２４Ｖ電源１２１に流れ込む。
【００３６】
次いで、画像形成装置１０１が印字動作を行っている際に、給紙カセット１０６から送られてきた用紙をレジストローラ１１３が挟んだ状態で紙詰まりが生じた場合について説明する。そして、画像形成装置１０１を使用しているユーザは、この紙詰まりを解消すべく、先ずはカバー部材１０３を開いたとする。
【００３７】
図７に示すように、カバー部材１０３が開かれた状態、即ち開姿勢となると、カバー部材１０３の突出部材１０５ａはインターロックスイッチ１０５から離れる。すると、インターロックスイッチ１０５は、２４Ｖ電源１２１側の電源配線Ｒ１’’とモータ駆動部１２４側の電源配線Ｒ１’との接続を切断すると共に、モータ駆動部１２４側の電源配線Ｒ１’をＧＮＤ配線Ｇ１に接続する。これにより、モータ駆動部１２４には、電源配線Ｒ１’を通じてＧＮＤの電圧、即ち約０Ｖが印加される。尚、本実施形態では、カバー部材１０３が開かれた場合、モータ駆動部１２４内のドライバ１２４ｂは、ゲート信号Ｇｕ，Ｇｘ，Ｇｖ，Ｇｙの出力を停止する場合を例にとる。即ち、カバー部材１０３が開かれた場合、モータ駆動部１２４における出力回路１２４ｃ内の各トランジスタＱ１０１〜Ｑ１０４には、ゲート信号Ｇｕ，Ｇｘ，Ｇｖ，Ｇｙが印加されないとする。
【００３８】
次いで、ユーザが、レジストローラ１１３の箇所で詰まっている紙を取り除く作業を行うべく、詰まった用紙を引っ張り出したとする。
【００３９】
レジストローラ１１３の箇所で詰まっている用紙がユーザにより引っ張り出されると、レジストローラ１１３に負荷がかかり、レジストローラ１１３が回転する。すると、レジストローラ１１３の回転駆動源であるモータ１２５も回転し、モータ１２５内の駆動コイル（図示せず）には逆起電力が発生する。この逆起電力はモータ駆動部１２４の出力端子ＮＵ，ＮＶに印加されるが、モータ駆動部１２４側の電源配線Ｒ１’はＧＮＤ配線Ｇ１に接続されているため、逆起電力による電流は、トランジスタＱ１０１〜Ｑ１０４を流れずに、モータ駆動部１２４の出力端子ＮＵ，ＮＶ、出力回路１２４ｃ内の上側のダイオードＤ１０１，Ｄ１０３、及び電源配線Ｒ１’を通じてＧＮＤに流れる（図７の矢印Ｂ）。これにより、トランジスタＱ１０１〜Ｑ１０４の耐圧以上の逆起電力が生じることによりトランジスタＱ１０１〜Ｑ１０４が破壊される現象が抑制される。
【００４０】
また、モータ駆動部１２４側の電源配線Ｒ１’がＧＮＤ配線Ｇ１を通じてＧＮＤに接続されているため、電源配線Ｒ１’を通じてモータ駆動部１２４に供給される電圧が逆起電力の影響を受けて上昇する現象は、生じにくくなる。
【００４１】
（３）効果
本実施形態に係る画像形成装置１０１によると、カバー部材１０３が開いている場合、インターロックスイッチ１０５は、２４Ｖ電源１２１側の電源配線Ｒ１’’とモータ駆動部１２４側の電源配線Ｒ１’との接続を切断すると共に、モータ駆動部１２４側の電源配線Ｒ１’をＧＮＤ配線Ｇ１に接続する。この場合、ユーザがレジストローラ１１３に詰まった用紙を取り除くなどにより不意にモータ１２５を回転させ駆動させてしまった場合、モータ１２５には逆起電力が生じ、モータ駆動部１２４には通常時に流れる電流とは逆の方向（即ち電源配線Ｒ１’側）に電流が流れる。しかし、この電流は、モータ駆動部１２４における出力回路１２４ｃ内のトランジスタＱ１０１〜Ｑ１０４を流れずに、出力端子ＮＵ，ＮＶ、出力回路１２４ｃ内の上側のダイオードＤ１０１，Ｄ１０３、及び電源配線Ｒ１’を通じてＧＮＤに流れ込む。このように、逆起電力による電流がモータ駆動部１２４を流れたとしても、モータ駆動部１２４側の電源配線Ｒ１’はＧＮＤに接続されているため、カバー部材１０３が開いている状態でモータ１２４に逆起電力が生じた場合であっても、モータ駆動部１２４の耐圧以上の逆起電力による電流がモータ駆動部１２４に流れ込み、モータ駆動部１２４内の、特にトランジスタＱ１０１〜Ｑ１０４が破壊されることを防ぐことができる。
【００４２】
また、モータ駆動部１２４側の電源配線Ｒ１’がＧＮＤ配線Ｇ１を通じてＧＮＤに接続されているため、電源配線Ｒ１’を通じてモータ駆動部１２４に供給される電圧が逆起電力の影響を受けて上昇する現象は、生じにくくなる。
【００４３】
＜その他の実施形態＞
（ａ）上記実施形態では、カバー部材１０３が開かれた場合、モータ駆動部１２４内のドライバ１２４ｂは、出力回路１２４ｃ内の各トランジスタＱ１０１〜Ｑ１０４へのゲート信号Ｇｕ，Ｇｘ，Ｇｖ，Ｇｙの出力を停止すると説明したが、これに限定されない。ドライバ１２４ｂは、各トランジスタＱ１０１〜Ｑ１０４をオフにするためのゲート信号Ｇｕ，Ｇｘ，Ｇｖ，Ｇｙを出力してもよい。
【００４４】
（ｂ）上記実施形態では、モータ駆動部１２４に含まれるスイッチング素子がバイポーラトランジスタである場合を例に取り説明したが、スイッチング素子は、バイポーラトランジスタ以外であってもよい。その他の種類としては、ＭＯＳトランジスタや、絶縁ゲート型バイポーラトランジスタ等が挙げられる。
【００４５】
（ｃ）上記実施形態では、画像形成装置１０１の本体部１０４の前部におけるカバー部材１０３を例に取り説明したが、これに限定されない。例えば本体部１０４の側部におけるカバー部材においても、本発明を適用することができる。
【産業上の利用可能性】
【００４６】
本発明の電気機器は、複写機、プリンタ及びファクシミリ装置の各機種や、これらの機能に更にスキャナ機能を併せ持つ複合機の画像形成装置の他、フィニッシャー等に適用できる。即ち、本発明の電気機器は、本体内部を覆うカバー部材を備えていると共に、ユーザの安全性を確保するためにインターロックスイッチが設けられた電気機器であればどのような装置にも適用できる。
【図面の簡単な説明】
【００４７】
【図１】従来の画像形成装置の構成を示す図。
【図２】本実施形態に係る画像形成装置の外観及び内部構成を模式的に示す図。
【図３】本実施形態に係る画像形成装置を上から見た図。
【図４】本実施形態に係る本体部内部のモータ駆動部、電源及びモータの接続図。
【図５】本実施形態に係るモータ駆動部の内部を詳細に示した図。
【図６】本実施形態に係るカバー部材が閉じた状態時に、モータに通電される電流の経路を示した図。
【図７】本実施形態に係るカバー部材が開いた状態時に、モータに生じた逆起電力によりモータ駆動部内を流れる電流の経路を示した図。
【符号の説明】
【００４８】
１０１  画像形成装置
１０３  カバー部材
１０４  本体部
１０５  インターロックスイッチ
１１３  レジストローラ
１２４  モータ駆動部
１２４ａ  ＣＰＵ
１２４ｂ  ドライバ
１２４ｃ  出力回路
１２５  モータ
Ｒ１  電源配線
Ｑ１０１〜Ｑ１０４  バイポーラトランジスタ
Ｄ１０１〜Ｄ１０４  ダイオード
【図１】
2008167596.tif 000003
【図２】
2008167596.tif 000004
【図３】
2008167596.tif 000005
【図４】
2008167596.tif 000006
【図５】
2008167596.tif 000007
【図６】
2008167596.tif 000008
【図７】
2008167596.tif 000009